(57)【要約】【課題】  有機ＥＬ表示装置において、表示色の切り替えを効果的に行う。【解決手段】  白表示を行う有機ＥＬパネル１０１と、有機ＥＬパネル１０１の前面に配置されたλ／４板１０２と、λ／４板の視認側に配置された偏光板１０３と、ＴＮ液晶パネル１０４と、赤色系のカラー偏光板１０５を有している。通常表示においてＴＮ液晶パネルはＯＦＦ状態にあり、有機ＥＬパネル１０１からの白色光がそのまま表示される。所定モードにおいてＴＮ液晶パネルがＯＮ状態となり、有機ＥＬパネル１０１からの白色光が赤色に切替えられて表示される。又、λ／４板と偏光板によって、有機ＥＬパネルの光反射を防止する。【選択図】  図２
2005135812.tif 000002
【特許請求の範囲】
【請求項１】
情報表示を行う表示領域を有する有機ＥＬパネルと、
前記表示領域の視認側に配置された位相差板と、
前記位相差板の視認側に配置され、液晶層に印加する電界によって透過光の偏光方向を制御する液晶パネルと、
前記位相差板の視認側において、前記液晶パネルを挟むように配置された偏光板及びカラー偏光板と、
を備える、有機ＥＬ表示装置。
【請求項２】
前記液晶パネルはＴＮタイプの液晶パネルである、請求項１に記載の有機ＥＬ表示装置。
【請求項３】
前記カラー偏光板の透過軸と前記偏光板の透過軸との間の角度がほぼ９０°である、請求項２に記載の有機ＥＬ表示装置。
【請求項４】
前記偏光板の透過軸と前記液晶パネルの前記偏光板に対向する側における液晶の配向方向との間の角度が、ほぼ平行もしくはほぼ９０°である、請求項３に記載の有機ＥＬ表示装置。
【請求項５】
前記カラー偏光板の透過軸と前記偏光板の透過軸との間の角度が、前記液晶パネルによって透過光の偏光方向が回転される角度とほぼ同一である、請求項１に記載の有機ＥＬ表示装置。
【請求項６】
前記位相差板はλ／４板である、請求項１から５に記載の有機ＥＬ表示装置。
【請求項７】
前記カラー偏光板は前記液晶パネルの視認側に配置され、
前記偏光板は前記液晶パネルの反視認側に配置され、
前記位相差板の延伸軸と前記偏光板の透過軸との間の角度は、ほぼ４５°である、
請求項１から６のいずれかに記載の有機ＥＬ表示装置。
【請求項８】
前記表示領域は単色光によって情報表示を行う、請求項１から７のいずれかに記載の有機ＥＬ表示装置。
【発明の詳細な説明】
【技術分野】
【０００１】
本発明は有機ＥＬ表示装置に関し、特に、カラー偏光板を用いて表示色を変化させる有機ＥＬ表示装置に関する。
【背景技術】
【０００２】
近年の情報通信分野における急速な技術開発の進展に伴い、ＣＲＴに代わるフラットディスプレイに大きな期待が寄せられている。なかでも有機ＥＬ（Electro Luminescence）ディスプレイは、高速応答性、視認性、輝度などの点において優れているため、盛んに研究がなされている。当初の有機ＥＬ素子構造は、有機薄膜の２層積層構造を有し、発光層にトリスアルミニウムを使用し、１０Ｖ以下の低電圧駆動によって緑色の発光を生じ、１０００ｃｄ／ｍ2の輝度が得られた。
【０００３】
最近の研究においては、正孔注入電極と電子注入電極に挟まれた有機層が１〜１０層程度の様々な積層型の有機ＥＬ素子が開発されている。有機ＥＬ材料に関しては、低分子を使用するもの、あるいは高分子を使用するものが研究されている。有機ＥＬ素子の製造方法としては、低分子化合物を真空蒸着法等による薄膜形成する方法のみならず、高分子系化合物をスピンコート法、インクジェット、ダイコート、フレキソ印刷といった方法で薄膜形成して有機ＥＬ素子を形成する方法が提案されている。
【０００４】
有機ＥＬ素子は、有機薄膜層を挟む正孔注入電極と電子注入電極の間に電圧を印加することによって、電流駆動によって有機ＥＬ素子を発光させる。駆動方法としては、画素を構成する有機ＥＬ素子の選択のためにスイッチ素子を使用するアクティブ駆動、あるいは、スイッチ素子を使用しないパッシブ駆動などが知られている。
【０００５】
有機ＥＬディスプレイは、単色発光によって表示を行うものや、部分的に異なる色で表示するエリアカラー表示、あるいは、フルカラーの表示を行うものが知られている。単色有機ＥＬディスプレイは、単色の有機ＥＬ素子を備えており、例えば、赤色、青色、緑色あるいは白色の発光を行う有機ＥＬ素子が知られている。
【０００６】
一方、カラー表示を行う有機ＥＬ素子は、表示領域を複数のエリアに区分し、各エリアで異なる色の表示を行うエリアカラー表示を行う有機ＥＬディスプレイや、各画素がＲＧＢの色を表示することによってカラー表示を行う有機ＥＬディスプレイが知られている。画素レベルでＲＧＢの異なる色を表示するために、有機ＥＬ素子の有機層がＲＧＢのいずれかの色で発光するもの、あるいは、白表示を行う有機ＥＬ素子の前にＲＧＢのカラーフィルタ層を形成することによってカラー表示を行うものなどが知られている。
【０００７】
尚、モノクロームの画像表示装置にカラー偏光板を適用してカラー画像表示装置を構成することが知られている（特許文献１を参照）。具体的には、モノクローム陰極線管の蛍光面の混合蛍光体は、波長４５０〜４８０ｎｍの青色発光蛍光体、波長５２０ｎｍ〜５５０ｎｍの緑色発光蛍光体、波長６００〜６３０ｎｍの赤色発光蛍光体である。
【０００８】
モノクローム陰極線管の前に設置される３枚のカラー偏光フィルタは、それぞれ波長５５０ｎｍ以下、波長５２０ｎｍ以上波長７１０ｎｍ以下、波長４８０ｎｍ以下および波長６００ｎｍ以上の波長域で吸収軸の透過率が２０％以下である。カラー偏光フィルタ相互間の透過スペクトルの重なり部分に存在する蛍光面の発光をきわめて低く抑制でき、不必要なスペクトルの混入が抑制して混色を防止し、色純度の低下を抑制する。
【０００９】
【特許文献１】特開２００１−１１２０１３号公報
【発明の開示】
【発明が解決しようとする課題】
【００１０】
表示装置のアプリケーションとして、通常の表示動作において特定色による表示を行い、所定のケースにおいて表示色を切替えることが要求される場合がある。このような表示装置において、表示品質が優れていること、あるいは、シンプルな構造によって表示色の変換を実現することは極めて重要なファクタとなる。
従って、本発明の一つの目的は、表示色の切り替えを効果的に行うことができる有機ＥＬ表示装置を提供することである。本発明の他の目的は、有機ＥＬ表示装置の表示品質を向上することである。本発明の他の目的は、有機ＥＬ表示装置においける表示色の切り替え及び表示品質の向上を、効率的な構成によって実現することである。
【課題を解決するための手段】
【００１１】
本発明の第１の態様は、情報表示を行う表示領域を有する有機ＥＬパネルと、前記表示領域の視認側に配置された位相差板と、前記位相差板の視認側に配置され、液晶層に印加する電界によって透過光の偏光方向を制御する液晶パネルと、前記位相差板の視認側において、前記液晶パネルを挟むように配置された偏光板及びカラー偏光板とを備える。この構成を有することによって、単色表示領域を有する有機ＥＬパネルにおいて、表示品質を向上し効果的に表示色の切り替えを行うことができる。
【００１２】
前記液晶パネルはＴＮタイプの液晶パネルであることが、表示品質あるいはシンプルな構成の点から好ましい。これによって、さらに、前記カラー偏光板の透過軸と前記偏光板の透過軸との間の角度がほぼ９０°であることが好ましい。これによって、無電界状態において有機ＥＬからの表示色での表示を行うことができる。さらに、前記偏光板の透過軸と前記液晶パネルの前記偏光板に対向する側における液晶の配向方向との間の角度が、ほぼ平行もしくはほぼ９０°であることが表示品質の点から好ましい。
【００１３】
あるいは、前記カラー偏光板の透過軸と前記偏光板の透過軸との間の角度が、前記液晶パネルによって透過光の偏光方向が回転される角度とほぼ同一であることが好ましい。これによって、無電界状態において有機ＥＬからの表示色での表示を行うことができる。あるいは、前記位相差板はλ／４板であることが好ましい。また、前記カラー偏光板は前記液晶パネルの視認側に配置され、前記偏光板は前記液晶パネルの反視認側に配置され、前記位相差板の延伸軸と前記偏光板の透過軸との間の角度は、ほぼ４５°であることが好ましい。これによって、効果的に有機ＥＬパネルによる反射光を遮断し、表示品質を向上することができる。
【発明の効果】
【００１４】
本発明によれば、有機ＥＬ表示装置において効果的に表示色の切り替えを行うことができる。
【発明を実施するための最良の形態】
【００１５】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。又、当業者であれば、以下の実施形態の各要素を、本発明の範囲において容易に変更、追加、変換することが可能である。
【００１６】
図１は、本実施形態における表示装置１００の概略構成を示す断面図である。図１において、１０１は、画像表示を行うことができる有機ＥＬ（Electro Luminescence）パネル（（ＯＬＥＤ（Organic Light Emitting Diode）））、１０２は位相差板の一例であるλ／４板、１０３は所定方向に振動する直線偏光を選択的に透過する偏光板である。１０４は表示色切り替えのために透過光の偏光状態を制御する液晶パネルである。本形態においては、好ましい例として、ＴＮタイプの液晶パネルが使用される。１０５はカラー偏光板である。表示装置１００において、視認側から、カラー偏光板１０５、ＴＮ液晶パネル１０４、偏光板１０３、λ／４板１０２、有機ＥＬパネル１０１の順に積層配置されている。
【００１７】
有機ＥＬパネル１０４は、典型的には、単色光による表示を行う。好ましくは、白色光を発光する有機ＥＬ素子を使用する有機ＥＬパネルが使用される。有機ＥＬパネル１０１は、ドット表示あるいはセグメント表示などによって、画像あるいは文字などの情報表示を行うことができる。尚、以下の記載においては、この白発光有機ＥＬパネルを例として説明される。
【００１８】
ＴＮ液晶パネル１０４は、表示領域全体の光の偏光状態を同様に制御する。具体的には、ＴＮ液晶パネル１０４の２つの透明基板の内側それぞれに、透明電極が表示領域全面に渡って形成され、液晶層がスタティックに駆動される。外部からの信号に応じて、透明電極対によって、表示領域全体の液晶層に同様の電界が印加される。
【００１９】
図２は、表示装置１００の表示動作を説明する図である。図２においては、カラー偏光板１０５として赤色偏光板を使用する例が示されている。図２に示されるように、有機ＥＬパネル１０１からの白色光は、ＴＮ液晶パネル１０４の状態に応じて、白色光もしくは赤色光として表示面側（視認側）に表示される。ＴＮ液晶パネル１０４がＯＦＦ状態にある、つまり、液晶層に電界が印加されていない場合、有機ＥＬパネル１０１からの白色光は、白色光として視認される（白表示状態）。
【００２０】
一方、ＴＮ液晶パネル１０４がＯＮ状態にある、つまり、液晶層に電界が印加されている場合、有機ＥＬパネル１０１からの白色光は、赤色光として視認される（赤表示状態）。表示装置１００は、例えば、自動車のインストルメントパネルなどに適用することができる。表示装置１００は、通常においては白色によって速度などを表示し、緊急時などに表示色を赤色に変更することができる。
【００２１】
図３を参照して、カラー偏光板１０５の機能について説明する。カラー偏光板１０５は、透過軸と平行な方向に振動する直線偏光を可視光域のほぼ全域において透過し、透過軸と垂直な方向に振動する直線偏光を、所定の波長域について選択的に透過する。図３に示すように、カラー偏光板１０５の透過軸が紙面上の左右方向と平行である場合を例として説明する。
【００２２】
図３に示すように、自然光３０１がカラー偏光板１０５に入射すると、紙面と平行な透過軸方向の直線偏光は、可視光全波長領域（白色光）において、カラー偏光板１０５を透過する。透過軸と垂直方向（紙面垂直方向）の直線偏光は、所定波長域においてのみ、カラー偏光板１０５を透過する。赤色系カラー偏光板を例とすれば、カラー偏光板１０５は赤色の光を選択的に透過する。他の波長域の光は、カラー偏光板１０５に大きく吸収される。
【００２３】
一方、図３に示すように、紙面と平行な透過軸方向の白色直線偏光３０２がカラー偏光板１０５に入射すると、その白色直線偏光がカラー偏光板１０５を透過する。あるいは、透過軸方向と垂直方向（紙面垂直方向）の白色直線偏光３０３がカラー偏光板１０５に入射すると、カラー偏光板１０５は、所定色の紙面垂直方向の直線偏光を選択的に透過する。本例においては赤系の色が透過される。他の波長域の光は、カラー偏光板１０５に大きく吸収される。以上のように、カラー偏光板１０５は、入射光の偏光方向に応じて、透過光の波長を変化させる。
【００２４】
カラー偏光板１０５の光学特性は、カラー偏光板を製造する際に自由に設定することができる。カラー偏光板は、例えば、２色性色素を高分子に含浸配向させることによって形成することができる。図４は、赤色系のカラー偏光板（図４（ａ））と青色系のカラー偏光板（図４（ｂ））のそれぞれの光学特性の一例を示している。図４の各グラフにおいて、Ｘ軸は光の波長を示しており、Ｙ軸は光の透過率を示している。
【００２５】
各グラフにおいて、カラー偏光板単体に光を入射した場合、カラー偏光板の他にもう一枚の偏光板を用意し、その偏光板とカラー偏光板との透過軸が平行に配置されている場合（平行配置）、偏光板とカラー偏光板との透過軸が直交配置されている場合（直交配置）、のそれぞれの透過率と波長の関係が示されている。図４に示すように、各カラー偏光板は、透過軸と直交方向の直線偏光が入射すると、所定波長域以外の光を大きく吸収する。尚、図から理解されるように、各カラー偏光板は、赤あるいは青などの指定色以外の光の一部についても、相応の透過率を有することができる。
【００２６】
表示装置１００の光学的動作について、図５及び図６を参照して説明する。図５は、表示装置１００の構成要素の方向性を示している。偏光板１０３もしくはカラー偏光板１０５の透過軸と、液晶パネル１０４のそれらに対向する透明基板における配向方向は、ほぼ平行となっている。つまり、偏光板１０３の透過軸に対して、ＴＮ液晶パネル１０４の背面透明基板１０４ａにおけるラビング方向（配向方向）は、ほぼ平行である。ＴＮ液晶パネル１０４の前面透明基板１０４ｂのラビング方向（配向方向）は、背面透明基板１０４ａにおけるラビング方向とほぼ９０°ねじれている。カラー偏光板１０５の透過軸は、前面透明基板１０４ｂにおけるラビング方向と平行である。
【００２７】
上記は、各構成要素の方向性の好ましい関係の一つを示しており、各軸の角度はこれに限定されるものではない。例えば、偏光板１０３の透過軸とＴＮ液晶パネル１０４の背面基板１０４ａにおけるラビング方向の角度をほぼ９０°に設定する。さらに、カラー偏光板１０５の透過軸は、背面基板１０４ａにおけるラビング方向の角度をほぼ９０°に設定することができる。このとき、ＴＮ液晶パネル１０４の前面基板１０４ｂのラビング方向は、背面基板１０４ａにおけるラビング方向と９０°ねじれている。ここで、λ／４波長板１０２の延伸軸と偏光板１０３の透過軸の角度は、反射光を効果的に防止するためにほぼ４５°が好ましい。
【００２８】
図６を参照して、表示装置１００による表示動作について説明する。図６（ａ）はＴＮ液晶パネル１０４がＯＦＦの状態にある表示装置１００を示している。図６（ｂ）はＴＮ液晶パネル１０４がＯＮの状態にある表示装置１００を示している。図６における各構成要素の軸方向は、図５に示された好ましい一例と同一である。図６（ａ）に示すように、ＴＮ液晶パネル１０４がＯＦＦの状態にある場合、有機ＥＬパネルからの白色光はカラー偏光板を透過し、ユーザに対して白色の表示色による表示画面が示される。一方、ＴＮ液晶パネル１０４がＯＮの状態にある場合、図６（ｂ）に示すように、有機ＥＬパネル１０１からの白色光の内の所定波長の光が透過する。本例においては、赤色の光がカラー偏光板１０５を透過し、ユーザに対して赤色の表示色による表示画面が示される。
【００２９】
まず、偏光板１０３とλ／４板１０２による反射防止機能について説明する。視認側から光が有機ＥＬパネル１０１に入射すると、有機ＥＬパネル１０１内の金属電極などによって入射光が反射される。この反射光は、表示画像の視認性の低下あるいはコントラストの低下をもたらす。このため、有機ＥＬパネル１０１による反射光を抑制することが好ましい。有機ＥＬパネル１０１の前面に配置されたλ／４板１０２、及びそのλ／４板１０２の前に配置された偏光板１０３によって、有機ＥＬパネル１０１による反射光を遮断することができる。
【００３０】
視認側から入射した光の内、偏光板１０３の透過軸方向に平行な直線偏光成分のみが、偏光板１０３を透過する。図６の例においては、紙面と平行な方向の直線偏光のみが、偏光板１０３を透過し、偏光板１０３は他の成分の光を透過しない。偏光板１０３を透過した直線偏光は、λ／４板１０２によって円偏光に変換され、有機ＥＬパネル１０１に入射する。
【００３１】
有機ＥＬパネル１０１によって反射された光は再びλ／４板１０２に入射し、円偏光状態から直線偏光状態に変換される。この直線偏光の偏光方向は、偏光板１０３からλ／４板１０２に入射した直線偏光と９０°ずれており、これらは垂直となっている。λ／４板１０２によって直線偏光に変換された光の偏光方向は、偏光板１０３の透過軸と直交であるので、有機ＥＬパネル１０１による反射光は偏光板１０３を透過することなく、偏光板１０３で遮光される。これによって、有機ＥＬパネル１０１による反射光を遮断することができる。
【００３２】
次に、有機ＥＬパネル１０１からの白色光の状態変化について説明する。有機ＥＬパネル１０１から照射された白色光はλ／４板１０２を透過し、偏光板１０３に入射する。偏光板１０３によって、偏光板１０３の透過軸方向に振動する直線偏光成分の光が、選択的に透過される。本例においては、紙面と平行な偏光方向の直線偏光が偏光板１０３を透過する。
【００３３】
ＴＮ液晶パネル１０４がＯＦＦ状態である場合、直線偏光は、ＴＮ液晶パネル１０４の背面透明基板１０４ａを透過し、さらに、配向膜によってねじれ状態にある液晶層を透過する。ＴＮ液晶パネルはＴＮタイプであるので、直線偏光の偏光方向は、液晶のねじれ状態に従って９０°変化させられる。本例においては、紙面に平行な方向から紙面に垂直な方向に偏光方向が９０°回転する。
【００３４】
背面透明基板１０４ｂを透過した光はカラー偏光板１０５に入射する。図６（ａ）に示すように、カラー偏光板１０５の透過軸と直線偏光の偏光方向は平行である。従って、カラー偏光板１０５は入射光の可視光域において光を透過し、有機ＥＬパネル１０１からの白色光が、色変化されることなく表示面において表示される。
【００３５】
次に、ＴＮ液晶パネル１０４がＯＮ状態である場合について、図６（ｂ）を参照して説明する。ＴＮ液晶パネル１０４がＯＮ状態にセットされ、液晶層に電界が印加されると、液晶分子の長軸が電界と平行（基板平面と垂直）方向に配列し、入射光の偏光状態を変化させることなく入射光を透過する。尚、有機ＥＬパネル１０１による反射光の遮断については、ＴＮ液晶パネル１０４がＯＦＦ状態である場合と同様である。
【００３６】
有機ＥＬパネル１０１から照射された白色光はλ／４板１０２を透過し、偏光板１０３に入射する。偏光板１０３によって、偏光板１０３の透過軸方向に振動する直線偏光成分の光が、選択的に透過される。本例においては、紙面と平行な偏光方向の直線偏光が偏光板１０３を透過する。
【００３７】
直線偏光は、ＴＮ液晶パネル１０４の背面透明基板１０４ａを透過し、さらに、印加電界によって、基板面と垂直方向に配列された液晶層を透過する。直線偏光の偏光方向が液晶層によって変化させられることなく、直線偏光は液晶層を透過する。直線偏光は、前面透明基板１０４ｂを透過し、カラー偏光板１０５に入射する。
【００３８】
このとき、直線偏光の偏光方向は、偏光板１０３の透過軸方向と平行であり、つまり、紙面と平行な方向である。カラー偏光板１０５の透過軸は、偏光板１０３の透過軸に対してほぼ９０°の角度であり、紙面と垂直な方向である。従って、カラー偏光板１０５に入射した直線偏光の内、所定波長域の光のみが透過し、有色光が表示面において視認される。本例においては、赤色光によって画像が表示される。
【００３９】
上記のように、有機ＥＬパネル１０１とＴＮ液晶パネル１０４の間に配置された偏光板１０３は、有機ＥＬパネル１０１の反射防止機能、さらに、有機ＥＬパネルからの光の表示色の変更機能に寄与する。カラー偏光板、偏光板及びλ／４板を使用することによって、少ない光学要素によって、表示色の切り替えと表示品質の向上を効果的に達成することができる。
【００４０】
尚、ＴＮ液晶パネル１０４は、分離された透明電極を有することによって、複数の表示セグメントを備えることができる。各セグメントに対して異なる制御を行うことによって、表示色の変化による表示をより効果的に行うことができる。尚、好ましくは、上記のように、ＴＮ液晶パネルがＯＦＦ状態において有機ＥＬパネルの発光色による通常表示を行い、ＴＮ液晶パネルがＯＮ状態においてカラー偏光板による表示色切り替えを行うが、光学素子の軸配置を変更することによって、ＴＮ液晶パネルがＯＮ状態において有機ＥＬパネルの発光色による通常表示を行い、ＴＮ液晶パネルがＯＦＦ状態においてカラー偏光板による表示色切り替えを行うことも可能である。
【００４１】
表示装置１００の構成において、λ／４板１０２と偏光板１０３は、有機ＥＬパネル１０１もしくはＴＮ液晶パネル１０４のいずれに付着することも可能である。例えば、λ／４板１０２と偏光板１０３の双方を、有機ＥＬパネル１０１に付着し、この有機ＥＬパネル１０１とＴＮ液晶パネル１０４を積層配置することによって表示装置１００を構成することができる。シンプルな構造、表示品質の点などからＴＮ液晶パネル１０４が好ましいが、ＳＴＮなどの他のタイプの液晶パネルを使用することが可能である。
【００４２】
あるいは、λ／４板１０２と偏光板１０３の双方を、ＴＮ液晶パネル１０４に付着し、このＴＮ液晶パネル１０４と有機ＥＬパネル１０１を積層配置することによって表示装置１００を構成することができる。偏光板１０３は、好ましくは、ＴＮ液晶パネル１０４に付着される。これによって、製造段階におけるＴＮ液晶パネル１０４の検査を効果的に行うことができる。尚、λ／４板１０２、偏光板１０３及びカラー偏光板１０５の配置関係は、本発明の範囲において変更することができる。
【００４３】
いくつかの表示装置について評価を行った。図７は、評価を行った表示装置における各構成部品の軸配置を示している。図７を参照して、各実施例について、以下に説明する。
【００４４】
実施例１．
ＴＮの９０°の左ツイストで、ΔｎＬＣ・ｄＬＣ＝１２００ｎｍになるようにＴＮ液晶パネル１０４を調整した。カラー偏光板１０５として、赤色系カラー偏光板（（株）ポラテクノ製  Ｒ−１８２５５Ｔ）を使用し、偏光板１０３として住友化学工業（株）製ＳＲ−Ｗ０６２ＡＰを使用した。λ／４板１０２としては、ΔｎＦ・ｄＦ＝１３８ｎｍのλ／４板を使用した。
【００４５】
表示色切り替え用のＴＮ液晶パネル１０４を視認側から見た場合に、ＴＮ液晶パネル１０４の視認側の配向膜の配向軸を基準として反時計回りで、カラー偏光板１０５の透過軸の角度をθ1、偏光板１０３の透過軸の角度をθ2、λ／４板１０２の延伸軸の角度をθ3とした場合、θ1＝９０°、θ2＝０°、θ3＝−４５°とした。有機ＥＬパネル１０１の白色発光色に対して、表示色切り替え用のＴＮ液晶パネル１０４を１０ＶでのStatic駆動によって駆動したところ、下記表のように、ＯＦＦ時には白色の発光色で、ＯＮ時には良好な赤色で画像表示が行われ、良好な表示色切り替えを行うことができた。
【００４６】
尚、表１において、「ＬＣＤなし」とは、２枚の偏光板の間に液晶パネル１０４が存在しない場合、「ＬＣＤ−ＯＦＦ」は、２枚の偏光板の間に液晶パネル１０４が存在し、液晶パネル１０４がＯＦＦ状態にある場合、「ＬＣＤ−ＯＮ」は、２枚の偏光板の間に液晶パネル１０４が存在し、液晶パネル１０４がＯＮ状態にある場合を示している。ｘ、ｙは、それぞれｘ−ｙ色度座標における、ｘ及びｙ座標値を示している。これらの点は、以下のほかの表において同様である。
【００４７】
【表１】
2005135812.tif 000003
【００４８】
実施例２．
ＴＮの９０°の左ツイストで、ΔｎＬＣ・ｄＬＣ＝１２００ｎｍになるようにＴＮ液晶パネル１０４を調整した。カラー偏光板１０５として、青色系カラー偏光板（（株）ポラテクノ製  Ｖ３２−１８２４５Ｔ）を使用し、偏光板１０３として住友化学工業（株）製ＳＲ−Ｗ０６２ＡＰを使用した。λ／４板１０２としては、ΔｎＦ・ｄＦ＝１３８ｎｍのλ／４板を使用した。その他の条件は、実施例１と同様である。下記表のように、ＯＦＦ時には白色の発光色で、ＯＮ時には良好な青色で画像表示が行われ、良好な表示色切り替えを行うことができた。
【００４９】
【表２】
2005135812.tif 000004
【００５０】
実施例３．
ＴＮの９０°の左ツイストで、ΔｎＬＣ・ｄＬＣ＝１２００ｎｍになるようにＴＮ液晶パネル１０４を調整した。カラー偏光板１０５として、橙色系カラー偏光板（（株）ポラテクノ製  Ａ−１８２７５Ｔ）を使用し、偏光板１０３として住友化学工業（株）製ＳＲ−Ｗ０６２ＡＰを使用した。λ／４板１０２としては、ΔｎＦ・ｄＦ＝１３８ｎｍのλ／４板を使用した。その他の条件は、実施例１と同様である。下記表のように、ＯＦＦ時には白色の発光色で、ＯＮ時には良好な橙色で画像表示が行われ、良好な表示色切り替えを行うことができた。
【００５１】
【表３】
2005135812.tif 000005
【図面の簡単な説明】
【００５２】
【図１】本実施形態における、表示装置の概略構成を示す分解斜視図である。
【図２】本実施形態における、表示装置の表示動作を示す図である。
【図３】本実施形態における、カラー偏光板の光学機能を説明する図である。
【図４】本実施形態における、カラー偏光板の光学特性を示す図である。
【図５】本実施形態における、表示装置の構成要素の軸配置を示す図である。
【図６】本実施形態における、表示装置の表示動作を説明する図である。
【図７】実施例に示された表示装置の構成要素の軸配置を示す図である。
【符号の説明】
【００５３】
１００  表示装置
１０１  有機ＥＬパネル
１０２  λ／４波長板
１０３  偏光板
１０４  ＴＮ液晶パネル
１０５  カラー偏光板
【図１】
2005135812.tif 000006
【図２】
2005135812.tif 000007
【図３】
2005135812.tif 000008
【図４】
2005135812.tif 000009
【図５】
2005135812.tif 000010
【図６】
2005135812.tif 000011
【図７】
2005135812.tif 000012